(57)【要約】【課題】従来の可動フードを備えたレンジフードでは、可動フードを最大に突出させることしか行っていないため、吸込口は一箇所で吸込口の開口面積も固定であった。そのため、加熱調理器からの油煙や水蒸気などを本体のフード体に回収しきれずに、フード体の外側へ逃げる場合があり、油煙や水蒸気の捕集効率が悪くなるという課題があった。【解決手段】排気送風機を収めたユニット部の下部に設けられた固定フードと、この固定フードから出入りする可動フードと、この固定フード及び可動フードの下面部に配置された整流板と、この整流板と前記固定フード及び可動フードとの間に設けられた油煙や水蒸気を吸込む吸込口と、前記固定フードに対する前記可動フードの可動量を任意に変えるフード可動機構部と、を備えたことで、吸込口の位置および吸込風量を調整でき、捕集効率を高めることができる。【選択図】図１
2007192482.tif 000002
【特許請求の範囲】
【請求項１】
排気送風機を収めたユニット部の下部に設けられた固定フードと、この固定フードから出入りする可動フードと、この固定フード及び可動フードの下面部に配置された整流板と、この整流板と前記固定フード及び可動フードとの間に設けられた油煙や水蒸気を吸込む吸込口と、前記固定フードに対する前記可動フードの可動量を任意に変えるフード可動機構部と、を備えたレンジフード。
【請求項２】
請求項１記載のレンジフードにおいて、前記固定フードに対する前記可動フードの可動量を変えて、前記吸込口の位置を調整するレンジフード。
【請求項３】
請求項１記載のレンジフードにおいて、前記固定フードに対する前記可動フードの可動量を変えて、前記吸込口に流れ込む気流の吸込み方向から見た前記整流板の面積を調整するレンジフード。
【請求項４】
請求項１記載のレンジフードにおいて、前記固定フードに対する前記可動フードの可動量を変えて、前記吸込口における前記固定フード側と前記可動フード側の吸込風量を変えるレンジフード。
【請求項５】
請求項１記載のレンジフードにおいて、前記フード可動機構部による前記固定フードに対する前記可動フードの可動量の調整を、外部環境と連動する場合と手動の場合とを選択して又は協調して調整するレンジフード。
【請求項６】
請求項１記載のレンジフードにおいて、加熱調理器からの信号を受信する受信部を備え、該加熱調理器からの信号に基づき、前記固定フードに対する前記可動フードの可動量を変えるレンジフード。
【請求項７】
請求項６記載のレンジフードにおいて、前記受信部で受信された信号が前記ＩＨクッキングヒーターの手前側のヒーターを使用した時に発信される信号であるとき、前記固定フードに対する前記可動フードの可動量を前記使用されるヒーターに合わせて決めるレンジフード。
【請求項８】
請求項６記載のレンジフードにおいて、前記受信部で受信された信号が前記ＩＨクッキングヒーターの奥側のヒーターを使用した時に発信される信号であるとき、前記固定フードに対する前記可動フードの可動量を前記使用されるヒーターに合わせて決めるレンジフード。
【請求項９】
請求項６記載のレンジフードにおいて、前記受信部で受信された信号が前記ＩＨクッキングヒーターに設けられた調理庫を用いるグリル機能を使用した時に発信される信号であるとき、前記固定フードに対する前記可動フードの可動量を前記使用される調理庫の排気に合わせて決めるレンジフード。
【請求項１０】
請求項６記載のレンジフードにおいて、前記受信部で受信された信号がオーブンレンジからの信号であるとき、前記固定フードに対する前記可動フードの可動量を前記オーブンレンジの排気に合わせて決めるレンジフード。
【請求項１１】
請求項１記載のレンジフードにおいて、該レンジフードの周辺状況を検知するセンサの検知結果に基づいて、前記固定フードに対する前記可動フードの可動量を変えるレンジフード。
【請求項１２】
請求項１記載のレンジフードにおいて、使用者が入力した情報に基づいて、前記固定フードに対する前記可動フードの可動量を変えるレンジフード。
【請求項１３】
請求項５記載のレンジフードにおいて、外部からの情報を受け入れる受け入れ部と、使用者が前記可動フードの可動量に関する情報を入力する入力部と、前記受け入れ部で受け入れた情報と前記入力部から入力された情報とを切り替える切り替えスイッチとを備え、この切り替えスイッチで切り替えられた情報に基づいて前記可動フードの可動量を決めて、前記フード可動機構を制御するレンジフード。
【請求項１４】
請求項５記載のレンジフードにおいて、外部からの情報を受け入れる受け入れ部と、使用者が前記可動フードの可動量に関する情報を入力する入力部とを備え、外部からの情報に基づき前記可動フードの可動量を決めて前記フード可動機構を制御した後、前記入力部の情報に基づき前記可動フードの可動量を調節するレンジフード。
【請求項１５】
請求項１１記載のレンジフードにおいて、前記周辺状況を検知するセンサとして、温度センサ，湿度センサ，ガスセンサ、又は人感センサの何れかひとつ若しくは複数からの検知結果を用いて前記可動フードの可動量を変えるレンジフード。
【発明の詳細な説明】
【技術分野】
【０００１】
本発明は、台所で調理時に発生する油煙や水蒸気，ガスを屋外に排出するレンジフードに関するものである。
【背景技術】
【０００２】
従来のレンジフードにあって、例えば、特開平０４−２６３７２８号公報（以下、特許文献１と呼ぶ）のように、フード収納部に格納された可動フードを移動させて、フード収納部から引き出して用いられるレンジフードが知られている。
【０００３】
また、特開平０２−２８２６４１号公報（以下、特許文献２と呼ぶ）のレンジフードは、使用時に前板の下端部を引き出して、フード下面を送風機に連通して排気するものが開示されている。
【０００４】
特許文献２では、レンジフードに設けられた温度センサによって火気使用設備の使用を感知すると、前板の駆動を開始するとともに送風機の運転を開始して使用状態としている。また、前板の下端部を開く際に、レンジフードの前方に人が存在するか人感センサで検知し、前板の駆動開始を付近の人に知らせるものである。
【０００５】
また、特開２００２−２８６２６７号公報（以下、特許文献３と呼ぶ）には、フード下部内に複数の吸込口を備え、下方に設置される加熱調理器における複数の加熱部の使用に応じて、それぞれの吸込口に設けられた開閉手段を開閉する技術が開示してある。
【０００６】
【特許文献１】特開平０４−２６３７２８号公報
【特許文献２】特開平０２−２８２６４１号公報
【特許文献３】特開２００２−２８６２６７号公報
【発明の開示】
【発明が解決しようとする課題】
【０００７】
特許文献１のレンジフードには、可動フードの内部に給気通路と排気通路とを備えている。これらの給気通路と排気通路とは、複数の仕切り板で仕切られている。この仕切り板は可動フードの伸縮に合わせてその仕切り長さを変えるものであり、加熱調理器からの油煙などと給気通路の給気流とを仕切るものである。
【０００８】
特許文献１では、レンジフードに向かって上昇してきた油煙などをフード内後部に開口する吸気口より吸込み、外部に排出するものだが、二つの誘導流を使用している。一つは、給気された空気流を用いて、油煙などを吸気口のフィルタへ導く作用をなす誘導流を使用する。また、もう一つは、可動フード部の前方端部より下方へ流れ出す他の誘導流を用いて、可動フード部前面より漏れようとする油煙などをフード内に巻き込む作用を期待するものである。
【０００９】
このように特許文献１では可動フードを供えたレンジフードにおいて、油煙などの捕集量を向上させるために誘導流を用いるものであるが、吸込流としてはレンジフード下部後方に開口する吸込口の部分にしか生ぜず十分な捕集量を得るのが困難である。
【００１０】
また、特許文献１に開示された可動フード部の駆動機構は、可動フード部と連動する可動ピースがワイヤに設けられ、そのワイヤの巻き取りからもたらされる駆動力にて可動フード部を移動させる。その可動ピースの動作範囲をリミッタスイッチにて検出し、可動フード部の引き出し位置と引き込み位置を検出する。
【００１１】
このように、特許文献１では、可動フード部を最大突出位置である引き出し位置まで移動させて、フード収納部の後方に設けられた一箇所であって開口面積も固定された吸込口によって、油煙などを吸込み排気する構造を開示するものである。しかしながら、レンジフードの下方に位置する加熱調理器具、例えば複数口を備えたガスコンロの場合ではその使用するコンロ位置や、コンロで使用する鍋の違い、または調理器具による料理の違いによって、油煙や水蒸気などが発生する箇所、発生量が異なる点への配慮がなされていない。
【００１２】
従って特許文献１の構成では、この油煙や水蒸気などが、本体のフード部、特に唯一の吸込口に適切に回収しきれずに、例え誘導流を利用してもフード部の外側へ逃げる場合があり、油煙や水蒸気などの捕集効率が悪くなるという課題があった。さらに特許文献１には、上昇気流の発生量が少ないＩＨクッキングヒーターと呼称される誘導加熱型加熱調理器の使用時には、さらに捕集効率が悪くなるという課題があった。
【００１３】
また、特許文献１の構成では、使用者は可動フードが最大突出位置しか選択できない。そのため、身長が高い使用者が料理する時は、調理時に可動フード部の先端に頭部をぶつけてしまうという課題があった。
【００１４】
特許文献２に示すレンジフードにおいては、レンジフードの使用時と収納時（運転時と停止時）にフード体の一部が開閉するものであるが、フード体が開口するときに人がいれば警報を発し、注意を促すものである。しかし、警報を発するだけでフード体は通常と同じように開口し、何ら開口量を変える旨の記載は無い。
【００１５】
さらに、特許文献２は、レンジフードの下方に位置する加熱調理器具、例えば複数口を備えたガスコンロで使用しているコンロ位置や鍋の違い、または料理の違いによって発生箇所，発生量が異なる油煙または水蒸気は、本体のフード部に回収しきれずに、フード体の外側へ逃げることがあった。
【００１６】
さらに特許文献２には、上昇気流の発生量が少ないＩＨクッキングヒータを使用した場合には、油煙や水蒸気の捕集効率が悪くなるという課題があった。
【００１７】
特許文献３に示すレンジフードにおいては、下方に配置された加熱調理器の加熱部（ヒーター）の場所に応じて複数の開口部を設けるため、機構の複雑化，コスト増加，掃除の手間がかかってしまう。
【００１８】
また、上昇してきた油煙や水蒸気などはまずフード本体下部内に入り、フード本体の開口部に吸込まれ外部に導かれる。直下から直接開口部に上昇してきた油煙などは、そのまま吸込まれるものの、広がって上昇してくる油煙なども必ず存在する。そのように広がった油煙などを受け止めるのは、複数設けられた板枠部材の周囲を覆うフード本体の下部である。このように、加熱調理器の加熱部に対応した開口部を選択して油煙などを捕集しようとしても、特許文献３に記載されたレンジフードではフード本体下部の領域の変化が無く、広がりのある油煙などに対しては従来と何ら変わらないという課題があった。
【００１９】
本発明は、上記課題の少なくとも一つを解決して、捕集効率を高めて使い勝手のよいレンジフードを実現することを目的とするものである。
【課題を解決するための手段】
【００２０】
本発明のレンジフードは、上記目的を達成するために、排気送風機を収めたユニット部の下部に設けられた固定フードと、この固定フードから出入りする可動フードと、この固定フード及び可動フードの下面部に配置された整流板と、この整流板と前記固定フード及び可動フードとの間に設けられた油煙や水蒸気を吸込む吸込口と、前記固定フードに対する前記可動フードの可動量を任意に変えるフード可動機構部と、を備えたものである。
【００２１】
本発明によれば、可動フードの可動量を任意に調節することで、固定フードおよび可動フードの下面部に構成された吸込口の位置，整流板の露出面積，吸込風量を調整でき、捕集効率を向上させたレンジフードを提供することができる。
【００２２】
また、本発明のレンジフードにおける可動フードの可動量は、外部環境と連動する場合と手動の場合とを選択して又は協調して調整してもよい。また、可動フードの可動量の調節を、調理状態から判断するか、または使用者状態から判断するか切り替え用のスイッチを備えてもよい。
【００２３】
外部環境と連動する場合は、ＩＨクッキングヒータやオーブンレンジ、又はガスレンジなどの加熱調理器からの信号により、可動フードの可動量を調整できるので、使い勝手がよいレンジフードを実現できる。また、可動フードの可動量の調節を自動判断させる手段として、レンジフード本体に、周辺状況を検知するセンサ、例えば、温度センサ，湿度センサ，ガスセンサ，人感センサを備えてもよい。また、周辺状況を検知するセンサはレンジフード本体ではなく、レンジフードの外部に用意してレンジフードに対して有線若しくは無線で検知した結果を知らせるようにしてもよい。
【００２４】
また、可動フードの可動量に対して手動で調整を行う場合は、リモコンからの信号若しくはレンジフードに備わるスイッチにより可動フードの可動量を操作できる構成としたことで、操作者の意思に応じた可動フードと固定フードとの組み合わせによる吸込み位置を実現でき、使い勝手がよいレンジフードを実現できる。
【００２５】
このように、可動フードの可動量の調整に対して、判断手段として、外部環境と連動させるか、または手動操作するかを切り替える切り替え用のスイッチを備えることで解決される。また、切り替えスイッチを備えずに、外部環境と連動させた後、手動操作を優先させるようにして可動フードの可動量を調整するようにしてもよい。
【発明の効果】
【００２６】
本発明における特許請求の範囲の請求項１〜４によれば、可動フードの可動量を任意に調節することで、固定フードおよび可動フードの下面部に構成された吸込口の位置，整流板の露出面積，吸込風量を調整でき、捕集効率を向上させたレンジフードを提供することができる。
【００２７】
また、本発明における特許請求の範囲の請求項５によれば、可動フードの可動量を、外部環境と連動する場合と手動の場合とを選択して又は協調して調整することで、捕集効率を向上させたレンジフードを提供することができる。
【００２８】
また、本発明における特許請求の範囲の請求項６から１０によれば、加熱調理器の使用に応じた可動フードの可動量に調節することができ、捕集効率を向上させたレンジフードを提供することができる。
【００２９】
また、本発明における特許請求の範囲の請求項１１によれば、周辺状況を検知するセンサの検知結果に基づいて可動フードの可動量に調節することができ、捕集効率を向上させたレンジフードを提供することができる。
【００３０】
また、本発明における特許請求の範囲の請求項１２によれば、使用者が入力した情報に基づいて可動フードの可動量に調節することができ、捕集効率を向上させたレンジフードを提供することができる。
【００３１】
また、本発明における特許請求の範囲の請求項１３によれば、加熱調理器やレンジフードの周辺状況などの外部環境と連動させるために外部からの情報を受け取る受け取り部と、手動操作のために使用者が可動フードの可動量に関する情報を入力する入力部と、受け取り部の情報と入力部の情報を切り替える切り替え用のスイッチとを備えることで、可動フードの可動量に調節することを適切に行うことができ、使い勝手が向上し、捕集効率を向上させたレンジフードを提供することができる。
【００３２】
また、本発明における特許請求の範囲の請求項１４によれば、外部環境と連動させた後、手動操作を優先させて可動フードの可動量に調節することで、使い勝手が向上し、捕集効率を向上させたレンジフードを提供することができる。
【発明を実施するための最良の形態】
【００３３】
以下、本発明の一実施形態を、図１〜図９を用いて説明する。
【００３４】
レンジフードのファンユニット１０１には、加熱調理器として例えばＩＨクッキングヒータで調理された際に発生する油煙や水蒸気，ガスを屋外へ排出するためのファン１０２が排気用モータ１０３を介して取り付けられている。
【００３５】
ファン１０２はスクロール１０４で覆われており、スクロール１０４の前側（排気流路の上流側）にはベルマウス１０５が設けられている。ベルマウス１０５の前側（排気流路の上流側）には、排気流路内にフィルタ１０６を設けており、油・水分を捕集できる。
【００３６】
フィルタ１０６はスクロール１０４に設けられたＬ型支持部１０７により支えられ、そのＬ型支持部を支点とし、ファンユニット１０１の上方に弾性材を用いたフィルタ支持金具１０８によって所定角度の傾斜を持ち配設されている。
【００３７】
ファン１０２，ベルマウス１０５，フィルタ１０６は、掃除がしやすいように着脱自在に取り付けられているのが望ましい。また、スクロール１０４の出口は、屋外へ排出する為のダクトと接続するダクト継手１０９が取り付けられる構造となっている。
【００３８】
ファンユニット１０１は固定フード１１０の上側に固定され、固定フード１１０の天面に開けられた開口部とファンユニット１０１の開口部が連通する。
【００３９】
図２，図３は、それぞれレンジフードの正面図、正面図のＰ部拡大図である。固定フード１１０の側面内側には、固定レール３０１が左右に固定されている。可動フード１１１には、固定レール３０１と連結されている可動レール３０２が設けられている。この固定レール３０１と可動レール３０２とを介して固定フード１１０の内側に可動フード１１１が移動できるように配置している。
【００４０】
固定フード１１０および可動フード１１１の内側には、吸込流のスピードを加速させ、捕集効率を向上させるため、整流板Ａ１１２と整流板Ｂ１１３を備える。吸込口は、整流板Ａ１１２及び整流板Ｂ１１３と固定フード１１０及び可動フード１１１との間の開口部である（図７の吸込口Ａ７０１及び図９の吸込口Ｂ９０１参照）。
【００４１】
吸込口は、整流板Ａ１１２及び整流板Ｂ１１３の全周に渡り設けることで、吸込み領域が広い範囲に形成できる。
【００４２】
整流板Ａ１１２は固定フード１１０に、整流板Ｂ１１３は可動フード１１１にそれぞれ支持され、清掃性を考慮して着脱自在に設けられている。
【００４３】
固定フードに設置している整流板Ａと、可動フード内に設置している整流板Ｂとは段違いに支持される。可動フード１１１収納時にでも整流板同士が当接することはない。また、段差にできる隙間は、段差吸込口１１４となる。
【００４４】
フード可動機構１１５はモータを備え、可動フード１１１を駆動する。フード可動機構１１５は可動フード１１１の可動量を変えることができる。例えば、モータの回転量から駆動量を検出したり、ワイヤを用いた機構であっても起点からの移動量を検出したりすることで、任意の可動量で可動フード１１１の位置を変えるものである。これによって整流板Ｂ１１３は、可動フード１１１の移動とともに整流板Ａ１１２との重複領域を変える。
【００４５】
この可動フード１１１と整流板Ｂ１１３との移動により、吸込口の面積と領域が変わり、吸込み風量が変わる。吸込口の面積が狭い場合には全体的に吸込み風量が強くなるが、特に固定フード１１０側の吸込口領域の方が可動フード１１１側の方より強くなる。この現象は、後述するように、可動フード１１１の可動量が少ない場合の方が顕著である。
【００４６】
可動フード１１１の正面部分である可動フード先端部４０１にはスイッチ２０１が設けられ、それぞれ「切」，「強」，「中」，「常時換気」，「自動・手動切り替え」，「フード位置設定」，「照明」の機能設定スイッチである。
【００４７】
「自動・手動切り替え」ボタンを押すことで、自動可動運転および手動可動運転を選択することができる。自動可動運転に設定した場合は、次の３つの判断情報により可動フードの位置を決めることができる。
【００４８】
まず、第一の判断情報として、運転連動信号を発信できる加熱調理器、例えばＩＨクッキングヒータから信号を受けた時が挙げられる。ＩＨクッキングヒータのどの加熱部分
（ＩＨクッキングヒータの手前側ヒーター，奥側ヒーター，グリル）を使用しているかを表す信号が発信されると、レンジフードに設けられた受信部（図示せず）によりその信号を受信し、使用されている加熱部分に合わせた位置に可動フード１１１と整流板Ｂ１１３を移動させ、レンジフードの吸込口を変えるものである。
【００４９】
第二の判断情報として、システムキッチン等でＩＨクッキングヒータの下側に設置されたオーブンレンジから信号を受けた時が挙げられる。
【００５０】
近年のオーブンレンジは調理時に発生した油煙や水蒸気を排出する排出口をＩＨクッキングヒータのグリル排気口と連通させている。そのため、オーブンレンジからの信号が直接、若しくはＩＨクッキングヒータを通じてレンジフードへ発信され、レンジフードに設けられた受信部（図示せず）によりその信号を受信し、オーブンレンジの排気に合わせた位置（例えば、ＩＨクッキングヒータの排気口）に、レンジフードの吸込口をあわせるように可動フードを可動させるものである。オーブンレンジの運転に可動フード部が連動することで、使い勝手のよいレンジフードを提供することができる。
【００５１】
第三の判断情報として、レンジフードに内蔵若しくはレンジフードの外部に設けられた温度，湿度，ガスのセンサ（図示せず）が作動した場合が挙げられる（センサは各々複数個用いてもよい）。
【００５２】
この場合は、いずれのセンサがレンジフード本体に設けられていてもよいし、また、レンジフード本体とは別体に設けられ無線若しくは有線で検知結果をレンジフード本体に送信するようにしてもよい。
【００５３】
いずれにしても、センサで検知された検知結果をレンジフード本体で受け取り、その検知結果から対象となるガスコンロや据え置き型の加熱調理器の位置に合わせて、レンジフードの吸込口から適切に油煙や水蒸気などを吸込めるように可動フードの可動量を調節して吸込口を変えて、レンジフードは運転するものである。
【００５４】
特に、ＩＨクッキングヒータが運転連動タイプでない場合や普通のガスコンロの場合には、料理の違いや鍋の大きさの違いによって油煙や水蒸気，ガスの発生箇所，発生量が異なるため、その違いをセンシングすることで、可動位置を判断し可動させることができる。
【００５５】
このように、可動フードの可動判断を、温度センサ，湿度センサ，ガスセンサのひとつ或いは複数からの検知結果に基づいて実施することで、調理状態(油煙および水蒸気状態)から可動フードの可動位置を自動判断できる使い勝手のよいレンジフードを提供することができる。
【００５６】
上述したように、いずれの場合でも、予め設定されている位置まで可動フードが自動で可動し、油煙や水蒸気，ガスを効率良く捕集することができる。自動可動運転の第一または第二の判断情報に基づく可動制御の場合には、第三の判断情報によるよりも可動指示の優先順位を高くするとよい。
【００５７】
一方、手動可動運転に設定した場合は、「フード位置設定」ボタンを押すことで可動フードの位置を使用者の意思で任意の位置に合わせることができる。任意に可動フードの可動量を設定できることで、キッチン奥行きに合わせて、身長の高い使用者の頭部当たりを防ぐことができる。
【００５８】
また手動により設定された位置は、図示しない制御部の記憶手段に記憶させることで、運転終了後（可動フード収納時）、再度運転開始した時に、前回使用した位置を記憶手段から読み出して、可動フードの可動量を設定することで、使用者の手間を省けるようにしてもよい（セミ自動運転）。
【００５９】
このように本体に設けられた可動スイッチにより使用者の意志で可動フード部の位置を決めることができ、使い勝手の良レンジフードを提供することができる。
【００６０】
また、付属の手動リモコンから赤外線信号を受けた場合も同様に、自動可動運転への切り替え操作や手動可動運転の可動位置調整操作をすることができるように、リモコンに
「自動・手動切り替え」ボタンを設けてもよい。このように、自動判断と手動可動（リモコンまたは本体スイッチ）を選択できるスイッチを設けたことにより、料理者に合わせた使い勝手のよいレンジフードを提供することができる。また、リモコンに手動運転時の可動位置（可動量）情報を記憶させるようにしてもよい。このように付属の手動リモコンからの信号で可動フード部が連動することで、使い勝手のよいレンジフードを提供することができる。
【００６１】
「常時換気」スイッチにより「常時換気」運転を設定した場合には、常時換気として必要な１００〜１５０ｍ3／ｈ が確保できる吸込口となるような最小限の突出位置に可動フードの可動量を制御し、「常時換気」運転を実施する。可動フードが最小限の突出位置で運転することで、リビングやダイニング等の離れた位置から運転状態を目視で容易に判断ができ、かつキッチンの美観を損ねることなく使用することができる。
【００６２】
例えば、後述するように、可動フード１１１の格納時に幕板４０３と可動フード１１１の端部である可動フード先端部４０１とが面を揃えて位置決めされているのに対して、
「常時換気」運転では、可動フード先端部４０１が幕板４０３から突出する位置に可動フードを移動させてもよい。
【００６３】
可動フード先端部４０１には、レンジフードを操作する為のスイッチ２０１の他に身長の高い使用者が料理する時の頭部の当たりを回避するために人感センサ２０２を内蔵している（人感センサの位置は中央付近でなくともよい。また１箇所でなくともよい）。
【００６４】
この人感センサ２０２は、頭部がある一定距離以内に近づくと、センサ２０２が感知し、図示しない制御部に知らせる。制御部は、可動フード１１１と使用者の頭部とが一定距離を保つように、可動フード１１１の可動量を調節する制御を行う。このように、身長が高い使用者が料理する時、頭部が可動フード部に近づいたことを人感センサで感知し、可動フード部を縮めることで、頭部の当たりを回避することができ、安全で使い勝手のよいレンジフードを提供することができる。
【００６５】
図４，図５は可動フード１１１の収納状態と使用状態を示す図である。
【００６６】
図４の収納状態においては、可動フード先端部４０１とレンジフードに取り付けられた幕板４０３と面が一致し、美観を損なわない形状となっている。
【００６７】
また、図５は可動フードが突出した使用状態を示しており、可動フード１１１の一部には、キッチンの天井に配置している天井灯の明かりを遮らないように、少なくとも可動フード先端部４０１の近傍の可動フード１１１の一部が、透光部材５０１からなる。可動フードの一部を透光部材５０１とすることで手元が明るくなり、レンジフードに内蔵している電球（図示せず）の消費電力を下げることができ、省エネが図れる。また、透光部材
５０１も整流板Ａ１１２，整流板Ｂ１１３と同様に着脱自在に備えられ、清掃可能な構成としている。透光部材５０１はガラスであると不燃性や清掃性の観点で好ましい。
【００６８】
図６から図９は、油煙や水蒸気，ガスを発生している鍋の位置の違いにより、可動フードの突出位置が変わる状態を図示している。
【００６９】
図６，図７は、ＩＨクッキングヒータの手前側で料理をした時の図を示す。図７は、図６を矢印Ｑから見た図である。鍋６０１がＩＨクッキングヒータの使用者の手前側にあることで、ＩＨクッキングヒータからの可動指令、または鍋から発生する油煙，水蒸気，ガスをセンシングした際の検知結果をレンジフード本体に設けられた制御部（図示せず）が受け取り、これらの情報から可動フード１１１の可動量を最大に設定し、図示しないフード可動機構を制御して、可動フード１１１を最大突出位置に位置付ける。
【００７０】
可動フード１１１が最大突出位置となることで、図７に示す整流板Ａ１１２と整流板
Ｂ１１３の全周に構成された吸込口Ａ７０１（斜線部）はフード部全周かつ広範囲に形成され、鍋６０１から発生する油煙，水蒸気，ガスを効率良く捕集できる。
【００７１】
また整流板Ｂ１１３の表面は、鍋６０１からの油煙や水蒸気で結露しやすい位置となっているが、段差吸込口１１４からの流速の比較的速い吸込流により、整流板Ｂ１１３の表面を乾かし、結露低減が図れる構成となっている。
【００７２】
また、図８，図９は、ＩＨクッキングヒータの奥側で料理をした時の図を示す。図９は、図８を矢印Ｒから見た図である。鍋６０１が奥側にあることで、ＩＨクッキングヒータからの奥側のヒーターを運転させたことを知らせる信号、または鍋から発生する油煙，水蒸気，ガスを図示しないセンサを用いてセンシングした際の検知結果により、可動フード１１１が図６における可動量よりも少ない可動量で移動し、ＩＨクッキングヒータの手前側ヒータを運転しているときとは異なる指定突出位置となっている。
【００７３】
可動フード１１１がこのような指定突出位置となることで、図９に示す整流板Ａ１１２と整流板Ｂ１１３の全周に構成された吸込口Ｂ９０１（斜線部）は、フード部全周にかつ狭範囲に構成され、鍋６０１から発生する油煙，水蒸気やガスを効率良く捕集することができる。
【００７４】
また吸込口Ｂ９０１が狭範囲となることで、排気風量が一定であっても最大突出時の広範囲の吸込口Ａ７０１に比べ、１辺からの吸込風量を増すことができる。この風量増加の効果により整流板Ａ１１２の結露低減を図れる構成となっている。また、整流板Ｂ１１３の露出面積を最小限とすることで結露低減を図れる構成となっている。
【００７５】
また、ＩＨクッキングヒータのグリル使用時は、奥側ヒーターと同様に、可動フードの位置が奥側で構成する突出位置においては、最大突出位置（図６に示す）に比べ吸込口は奥側に構成され、かつ１辺から吸込む風量を増すことができるため、壁６０３に発生する結露低減を図れる構成となっている。このように、ＩＨクッキングヒータからの信号で可動フード部が連動することで、使い勝手のよいレンジフードを提供することができる。
【００７６】
本発明の実施例よれば、ＩＨクッキングヒータの使用しているヒーターの位置や鍋の違い、または料理の違いによって発生箇所，発生量が異なる油煙または水蒸気を、可動フード部を移動させることで、吸込口の吸込口位置および吸込口面積を調整し、油煙や水蒸気の発生している箇所を集中的に排気することができ、捕集効率を向上させるレンジフードを提供することができる。また、整流板の露出面積を調整できることで、結露面積を最小にすることができ、清掃性のよいレンジフードを提供することができる。
【００７７】
また、可動フードの可動判断手段として本体に、温度センサ，湿度センサ，ガスセンサを備えることで料理状態（油煙および水蒸気状態）から可動フードの可動位置を自動判断できる使い勝手のよいレンジフードを提供することができる。
【００７８】
また、調理状態（油煙および水蒸気状態）から可動フードの可動位置を自動判断するのか、使用者状態（身長が高い人）から可動フードの可動位置を自動判断するのか選択できるスイッチを設けたことにより、料理者に合わせた使い勝手のよいレンジフードを提供することができる。
【図面の簡単な説明】
【００７９】
【図１】本発明の一実施例を示すレンジフードの縦中央断面図。
【図２】本発明の一実施例を示すレンジフードの正面図。
【図３】本発明の一実施例を示すレンジフードの正面Ｐ部拡大図。
【図４】本発明の一実施例を示すレンジフードの収納状態の斜視図。
【図５】本発明の一実施例を示すレンジフードの使用状態の斜視図。
【図６】本発明の一実施例を示すレンジフードの可動フードの最大可動位置側面図。
【図７】本発明の一実施例を示すレンジフードの可動フードの最大可動位置Ｑ示図。
【図８】本発明の一実施例を示すレンジフードの可動フードの指定可動位置側面図。
【図９】本発明の一実施例を示すレンジフードの可動フードの指定可動位置Ｒ示図。
【符号の説明】
【００８０】
１…外筐、２…排気口、３…吸気口、４，１０６…フィルタ、５…排気用ケーシング、６，１０３…排気用モータ、７…排気用ファン、８，１１０…固定フード、９，１１１…可動フード、１０１…ファンユニット、１０２…ファン、１０４…スクロール、１０５…ベルマウス、１０７…Ｌ型支持部、１０８…フィルタ支持金具、１０９…ダクト継手、
１１２…整流板Ａ、１１３…整流板Ｂ、１１４…段差吸込口、２０１…スイッチ、２０２…人感センサ、３０１…固定レール、３０２…可動レール、４０１…可動フード先端部、４０２…吊り戸棚、４０３…幕板、５０１…透光部材、６０１…鍋、６０２…油煙及び水蒸気、６０３…壁、７０１…吸込口Ａ、９０１…吸込口Ｂ。
【図１】
2007192482.tif 000003
【図２】
2007192482.tif 000004
【図３】
2007192482.tif 000005
【図４】
2007192482.tif 000006
【図５】
2007192482.tif 000007
【図６】
2007192482.tif 000008
【図７】
2007192482.tif 000009
【図８】
2007192482.tif 000010
【図９】
2007192482.tif 000011